(57)【特許請求の範囲】
【請求項１】
先端に工具装着部が設けられた本体部における少なくとも基端側の外形を幅方向に分割した形状に形成され、互いに前記本体部の幅方向中央で接合される一対の樹脂材よりなる分割ハウジングと、
前記分割ハウジングの一部を覆うエラストマーよりなる被覆部と
を備えた電動工具であって、
前記分割ハウジングは、前記本体部の基端側における幅方向の端面を構成する一側面と、その一側面から前記本体部の幅方向に屈曲して接合部位まで延び前記本体部の基端面における幅方向片側を構成する分割基端面と、前記一側面及び前記分割基端面からそれぞれ屈曲して前記本体部の上面における幅方向片側を構成する分割上面と、前記一側面及び前記分割基端面からそれぞれ屈曲して前記本体部の下面における幅方向片側を構成する分割下面とを有し、
前記被覆部は、少なくとも前記一側面と前記分割基端面と前記分割上面と前記分割下面とを連続して覆うように設けられ、
前記分割基端面には、前記一側面側から流れてくる流体を前記本体部の幅方向中央に対応した接合部位側に流し易くするための整流部が形成されたことを特徴とする電動工具。
【請求項２】
請求項１に記載の電動工具において、
前記整流部は、前記分割基端面の上下方向の端部側に凸設された整流凸部を含むことを特徴とする電動工具。
【請求項３】
請求項１又は２に記載の電動工具において、
前記整流部は、前記分割基端面の上下方向の中央部に凹設された整流凹部を含むことを特徴とする電動工具。
【発明の詳細な説明】
【技術分野】
【０００１】
本発明は、ハウジングが被覆された電動工具に関する。
【背景技術】
【０００２】
従来、電動工具としては硬質の樹脂材よりなるハウジングと該ハウジングの一部を覆う軟質のエラストマーよりなる被覆部とを備えたものがある（例えば、特許文献１参照）。このような電動工具では、硬質の樹脂材によって剛性や耐衝撃性等を確保しながら、軟質のエラストマーによって握り易さやデザイン性や衝撃吸収性等を向上させることができる。
【先行技術文献】
【特許文献】
【０００３】
【特許文献１】特開２０１１−３６９２７号公報
【発明の概要】
【発明が解決しようとする課題】
【０００４】
ところで、上記のような被覆部を設ける場合、例えば、溶融状態のエラストマーを成形型内に充填して被覆部をハウジングに一体成形することが考えられるが、ハウジングの形状が複雑な場合等、被覆部のハウジングに対する接着力が局部的に弱くなることがあり、被覆部が局部的に剥がれ易くなる虞がある。
【０００５】
本発明は、上記課題を解決するためになされたものであって、その目的は、被覆部の局部的な剥がれを抑えることができる電動工具を提供することにある。
【課題を解決するための手段】
【０００６】
上記課題を解決する電動工具は、先端に工具装着部が設けられた本体部における少なくとも基端側の外形を幅方向に分割した形状に形成され、互いに前記本体部の幅方向中央で接合される一対の樹脂材よりなる分割ハウジングと、前記分割ハウジングの一部を覆うエラストマーよりなる被覆部とを備えた電動工具であって、前記分割ハウジングは、前記本体部の基端側における幅方向の端面を構成する一側面と、その一側面から前記本体部の幅方向に屈曲して接合部位まで延び前記本体部の基端面における幅方向片側を構成する分割基端面と、前記一側面及び前記分割基端面からそれぞれ屈曲して前記本体部の上面における幅方向片側を構成する分割上面と、前記一側面及び前記分割基端面からそれぞれ屈曲して前記本体部の下面における幅方向片側を構成する分割下面とを有し、前記被覆部は、少なくとも前記一側面と前記分割基端面と前記分割上面と前記分割下面とを連続して覆うように設けられ、前記分割基端面には、前記一側面側から流れてくる流体を前記本体部の幅方向中央に対応した接合部位側に流し易くするための整流部が形成される。
【発明の効果】
【０００７】
本発明の電動工具によれば、被覆部の局部的な剥がれを抑えることができる。
【図面の簡単な説明】
【０００８】
【図１】一実施形態における電動工具の側面図である。
【図２】一実施形態における分割ハウジングの斜視図である。
【図３】一実施形態における分割ハウジング及び被覆部の斜視図である。
【図４】一実施形態における分割ハウジングの背面図である。
【発明を実施するための形態】
【０００９】
以下、電動工具の一実施形態を図１〜図４に従って説明する。
図１に示すように、電動工具１０は、電動工具本体１１と、電動工具本体１１に対して着脱可能な電池パック１２とを有する。
【００１０】
電動工具本体１１は、その先端（前端）に工具装着部１３が設けられた本体部１４と、本体部１４の長手方向（前後方向）中間部から下方に延びた把持部１５と、把持部１５の下端に設けられ前記電池パック１２が装着される電池パック装着部１６とを備える。
【００１１】
本体部１４の内部には、図示しないモータ及び動力伝達機構等が設けられ、前記工具装着部１３はモータの回転駆動力によって回転駆動される。尚、工具装着部１３には、ドライバービットやタップ等の先端工具が装着され、該先端工具は工具装着部１３と共に回転することになる。
【００１２】
また、把持部１５の上端部における前方には、電動工具１０（モータ）の運転・停止を指示するためのトリガスイッチ１７が設けられている。
また、電池パック１２は、内部に充電可能な二次電池を有し、前記電池パック装着部１６に装着された状態で電動工具本体１１に電源を供給する。
【００１３】
そして、本実施形態の電動工具本体１１は、本体部１４における長手方向中間部から基端側及び把持部１５の外形を幅方向に分割した形状に形成され、互いに本体部１４の幅方向中央で接合される一対の樹脂材（詳しくはガラス繊維強化ポリアミド）よりなる分割ハウジング２１を構成部品として備えている。尚、図１では、一方の（図中、紙面手前側の）分割ハウジング２１のみ図示し、図４では、他方の分割ハウジング２１を二点鎖線で模式的に図示している。また、一対の分割ハウジング２１は、接合して固定するためのねじ孔等の細部が異なるのみであるため、同じ符号を付している。
【００１４】
また、電動工具本体１１は、前記分割ハウジング２１の一部を覆うエラストマーよりなる被覆部２２，２３を備えている。
詳しくは、図２に示すように、一方の分割ハウジング２１は、本体部１４の基端側における幅方向の端面を構成する一側面２１ａと、その一側面２１ａから本体部１４の幅方向に屈曲して（他方の分割ハウジング２１との）接合部位まで延び本体部１４の基端面（後方端面）における幅方向片側を構成する分割基端面２１ｂとを有する。また、一方の分割ハウジング２１は、前記一側面２１ａ及び前記分割基端面２１ｂからそれぞれ屈曲して本体部１４の上面における幅方向片側を構成する分割上面２１ｃと、前記一側面２１ａ及び前記分割基端面２１ｂからそれぞれ屈曲して本体部１４の下面における幅方向片側を構成する分割下面２１ｄとを有する。また、一方の分割ハウジング２１は、前記分割下面２１ｄから屈曲して把持部１５の後方側の面における幅方向片側を構成する分割把持部後方面２１ｅを有する。
【００１５】
そして、図３に示すように、本実施形態の被覆部２２は、図２に示した前記一側面２１ａと前記分割基端面２１ｂと前記分割上面２１ｃと前記分割下面２１ｄと前記分割把持部後方面２１ｅとを連続して（繋がった状態で）覆うように設けられている。
【００１６】
また、図１に示すように、本実施形態では、もう一方の被覆部２３が把持部１５の前方側の面における幅方向片側を構成する分割把持部前方面を覆うように設けられている。
ここで、図２及び図４に示すように、本実施形態の分割基端面２１ｂには、前記一側面２１ａ側から流れてくる流体を本体部１４の幅方向中央に対応した接合部位側に流し易くするための整流部としての整流凸部３１と整流凹部３２とが形成されている。
【００１７】
整流凸部３１は、前記分割基端面２１ｂの上下方向の端部側に凸設され、本実施形態では、幅方向に沿って長く形成されるとともに、上方側と下方側にそれぞれ２つずつ並設されている。
【００１８】
整流凹部３２は、前記分割基端面２１ｂの上下方向の中央部に凹設され、本実施形態では、幅方向に沿って長く形成されるとともに、上下方向に３つ並設されている。
そして、上記した被覆部２２は、本実施形態では、溶融状態のエラストマーが成形型内の前記一側面２１ａに対応した位置から充填されることで分割ハウジング２１に一体成形（二色成形）されている。尚、図２及び図４には、成形時のゲート位置Ｇを二点鎖線で模式的に図示し、図３には、被覆部２２に形成されたゲート跡２２ａを模式的に図示している。
【００１９】
また、本実施形態の前記分割基端面２１ｂ、前記分割上面２１ｃ、分割下面２１ｄ及び分割把持部後方面２１ｅにおける接合部位側端部には、それぞれ被覆部２２の接着力を強くして剥がれを抑えるためのアンカー溝２１ｆが形成されている。
【００２０】
次に、上記電動工具１０（整流凸部３１及び整流凹部３２）の作用について説明する。
図４に白抜き矢印で示すように、溶融状態のエラストマーを成形型内の前記一側面２１ａに対応した位置（ゲート位置Ｇ）から充填すると、エラストマーは分割基端面２１ｂ側、分割上面２１ｃ及び分割下面２１ｄのそれぞれに流れる。このとき、分割基端面２１ｂ側に流れる溶融状態のエラストマーは、整流凸部３１及び整流凹部３２の作用によって分割基端面２１ｂにおける接合部位側（本体部１４の幅方向中央に対応した部位側）に流れ易くなる。具体的には、溶融状態のエラストマーは、整流凸部３１によって、分割上面２１ｃ側及び分割下面２１ｄ側に逃げるように流れてしまうことが抑えられるとともに、整流凹部３２によって、分割基端面２１ｂの上下方向の中央部側（前記接合部位側）に引き込まれ易くなる。
【００２１】
次に、上記実施の形態の特徴的な効果を以下に記載する。
（１）分割基端面２１ｂには、一側面２１ａ側から流れてくる流体を本体部１４の幅方向中央に対応した接合部位側に流し易くするための整流部としての整流凸部３１及び整流凹部３２が形成される。よって、例えば、溶融状態のエラストマーを成形型内の一側面２１ａに対応した位置から充填して被覆部２２を分割ハウジング２１に一体成形する際に、分割基端面２１ｂにおける接合部位側にエラストマーが流れ易くなり、該接合部位側における被覆部２２の接着力を強くすることができる。その結果、分割基端面２１ｂの接合部位側における被覆部２２の剥がれを抑えることができる。
【００２２】
（２）本実施形態では整流部として分割基端面２１ｂの上下方向の端部側に凸設された整流凸部３１を含むため、溶融状態のエラストマーが成形型内の一側面２１ａに対応した位置から充填された際に分割基端面２１ｂに流れてきたエラストマーが分割上面２１ｃ側及び分割下面２１ｄ側に逃げるように流れてしまうことを抑えることができる。よって、分割基端面２１ｂにおける接合部位側にエラストマーが流れ易くなり、該接合部位側における被覆部２２の接着力を強くすることができる。
【００２３】
（３）本実施形態では、整流部として分割基端面２１ｂの上下方向の中央部に凹設された整流凹部３２を含むため、溶融状態のエラストマーが成形型内の一側面２１ａに対応した位置から充填された際に分割基端面２１ｂに流れてきたエラストマーが分割基端面２１ｂの上下方向の中央部側に引き込まれ易くなる。よって、分割基端面２１ｂにおける接合部位側にエラストマーが流れ易くなり、該接合部位側における被覆部２２の接着力を強くすることができる。
【００２４】
上記実施形態は、以下のように変更してもよい。
・上記実施形態では、分割基端面２１ｂには、整流部としての整流凸部３１及び整流凹部３２が形成されるとしたが、一側面２１ａ側から流れてくる流体を本体部１４の幅方向中央に対応した接合部位側に流し易くするための整流部が形成されれば、他の構成に変更してもよい。例えば、整流凸部３１及び整流凹部３２の内のいずれか一方のみが形成された構成としてもよい。また、上記実施形態の整流凸部３１及び整流凹部３２の形状や数を変更してもよい。
【００２５】
・上記実施形態では、被覆部２２は、前記一側面２１ａと前記分割基端面２１ｂと前記分割上面２１ｃと前記分割下面２１ｄと前記分割把持部後方面２１ｅとを連続して（繋がった状態で）覆うように設けられるとしたが、分割把持部後方面２１ｅは連続して覆わない被覆部に変更してもよい。
【００２６】
次に、上記実施形態及び別例から把握できる技術的思想を以下に追記する。
（付記１）
先端に工具装着部が設けられた本体部における少なくとも基端側の外形を幅方向に分割した形状に形成され、互いに前記本体部の幅方向中央で接合される一対の樹脂材よりなる分割ハウジングと、前記分割ハウジングの一部を覆うエラストマーよりなる被覆部とを備えた電動工具であって、
前記分割ハウジングは、前記本体部の基端側における幅方向の端面を構成する一側面と、その一側面から前記本体部の幅方向に屈曲して接合部位まで延び前記本体部の基端面における幅方向片側を構成する分割基端面と、前記一側面及び前記分割基端面からそれぞれ屈曲して前記本体部の上面における幅方向片側を構成する分割上面と、前記一側面及び前記分割基端面からそれぞれ屈曲して前記本体部の下面における幅方向片側を構成する分割下面とを有し、前記被覆部は、少なくとも前記一側面と前記分割基端面と前記分割上面と前記分割下面とを連続して覆うように設けられ、前記分割基端面には、前記一側面側から流れてくる流体を前記本体部の幅方向中央に対応した接合部位側に流し易くするための整流部が形成されたことを特徴とする電動工具。
【００２７】
（付記２）
付記１に記載の電動工具において、前記整流部は、前記分割基端面の上下方向の端部側に凸設された整流凸部を含むことを特徴とする電動工具。
【００２８】
（付記３）
付記１又は付記２に記載の電動工具において、前記整流部は、前記分割基端面の上下方向の中央部に凹設された整流凹部を含むことを特徴とする電動工具。
【符号の説明】
【００２９】
１３…工具装着部、１４…本体部、２１…分割ハウジング、２１ａ…一側面、２１ｂ…分割基端面、２１ｃ…分割上面、２１ｄ…分割下面、２２…被覆部、３１…整流凸部（整流部）、３２…整流凹部（整流部）。
【図１】
0006575806.tif 000002
【図２】
0006575806.tif 000003
【図３】
0006575806.tif 000004
【図４】
0006575806.tif 000005